(57)【要約】【課題】複数の放電管が用いられているときでも、複数の各放電管及び複数の各インバータ回路の異常の有無を高精度に検出することができる照明装置、及びこれを用いた表示装置を提供する。【解決手段】複数の冷陰極蛍光管（放電管）と、冷陰極蛍光管を駆動するインバータ回路を備えた照明装置において、同相及び逆相の供給電力を冷陰極蛍光管に対してそれぞれ出力する第１及び第２のインバータ回路を設ける。また、第１のインバータ回路及びこれに接続された冷陰極蛍光管の異常の有無を検出する第１のＸＯＲ回路（第１の異常検出部）１７ａと、第１及び第２のインバータ回路及びこれらに接続された冷陰極蛍光管の異常の有無を検出するＯＲ回路（第２の異常検出部）１７ｃを備える。【選択図】図５
2010146848.tif 000002
【特許請求の範囲】
【請求項１】
複数の放電管と、前記放電管を駆動するインバータ回路を備えた照明装置であって、
前記インバータ回路には、同相の供給電力を前記放電管に対して各々出力する複数の第１のインバータ回路と、
前記第１のインバータ回路とは、位相が異なる供給電力を前記放電管に対して出力する第２のインバータ回路とが含まれ、
前記複数の第１のインバータ回路から対応する放電管に供給された複数の供給電力が入力されて、当該放電管及び第１のインバータ回路の異常の有無を検出する第１の異常検出部と、
前記第１及び第２のインバータ回路から対応する放電管に供給された複数の供給電力が入力されて、当該放電管、第１及び第２のインバータ回路の異常の有無を検出する第２の異常検出部と
を備えていることを特徴とする照明装置。
【請求項２】
前記第２のインバータ回路は、前記第１のインバータ回路とは、１８０°位相が異なる逆相の供給電力を出力するとともに、当該第２のインバータ回路が複数設けられ、
複数の前記第２のインバータ回路から対応する放電管に供給された複数の供給電力が入力されて、当該放電管及び第２のインバータ回路の異常の有無を検出する第３の異常検出部を備えている請求項１に記載の照明装置。
【請求項３】
前記複数の放電管は、所定の方向に沿って配置されるとともに、
前記複数の放電管では、各一端部側に対して、前記第１及び第２のインバータ回路が所定の順番で接続されている請求項２に記載の照明装置。
【請求項４】
前記複数の放電管は、所定の方向に沿って配置されるとともに、
前記複数の放電管では、各一端部側に対して、前記第１及び第２のインバータ回路が交互に接続されている請求項２または３に記載の照明装置。
【請求項５】
前記第１〜第３の各異常検出部には、論理回路が用いられている請求項２〜４のいずれか１項に記載の照明装置。
【請求項６】
請求項１〜５のいずれか１項に記載の照明装置を用いたことを特徴とする表示装置。
【発明の詳細な説明】
【技術分野】
【０００１】
本発明は、照明装置、特に冷陰極蛍光管などの放電管を使用した照明装置、及びこれを用いた表示装置に関する。
【背景技術】
【０００２】
近年、例えば家庭用のテレビ受信装置では、液晶表示装置に代表されるように、在来のブラウン管に比べ薄型、軽量等の多くの特長を有するフラットな表示部としての液晶パネルを備えた表示装置が主流になりつつある。このような液晶表示装置には、光を発光する照明装置（バックライト）と、照明装置に設けられた光源からの光に対してシャッターの役割を果たすことで、所望画像を表示する液晶パネルとが設けられている。そして、テレビ受信装置では、テレビ放送の映像信号に含まれた文字、画像等の情報を液晶パネルの表示面上に表示するようになっている。
【０００３】
また、上記照明装置では、液晶パネルに対する光源の配置の仕方によって直下型とエッジライト型とに大別されるが、２０インチ以上の液晶パネルを備えた液晶表示装置では、エッジライト型よりも高輝度・大型化を図り易い直下型の照明装置が一般的に使用されている。すなわち、直下型の照明装置は、液晶パネルの背後（非表示面）側に、複数の光源を配置して構成されており、液晶パネルのすぐ裏側に光源を配置できるため、多数の光源を使用することが可能となり、高輝度が得やすく高輝度・大型化に適している。また、直下型の照明装置は、装置内部が中空構造であるため、大型化しても軽量であることからも、高輝度・大型化に適している。
【０００４】
また、上記のような従来の直下型の照明装置では、例えば下記特許文献１に記載されているように、光源としての複数の冷陰極蛍光管を設けるとともに、複数の各冷陰極蛍光管の一端部及び他端部の各々に対して、インバータ回路を接続して、各冷陰極蛍光管を駆動することが提案されている。つまり、この従来の照明装置では、いわゆる両側駆動によって複数の各冷陰極蛍光管を駆動することが示されており、各冷陰極蛍光管では、両端部に設けられた２つのインバータ回路から１８０°位相が互いに異なる逆相の供給電力が各々供給されて、当該冷陰極蛍光管は駆動されていた。
【０００５】
また、この従来の照明装置では、冷陰極蛍光管の一端部側のインバータ回路から当該冷陰極蛍光管の一端部側に供給された電流を電圧に変換して、第１検出電圧として出力する第１電流電圧変換回路と、同じ冷陰極蛍光管の他端部側のインバータ回路から当該冷陰極蛍光管の他端部側に供給された電流を電圧に変換して、第２検出電圧として出力する第２電流電圧変換回路とが設けられていた。さらに、この従来の照明装置では、上記第１及び第２検出電圧が入力される第１異常検出回路が設置されていた。そして、この従来の照明装置では、第１異常検出回路が第１及び第２検出電圧の電位差を求めるとともに、この求めた電位差が所定の第１しきい値電圧を超えたときに回路異常が生じていると判定していた。
【特許文献１】特開２００６−３３９０３６号公報
【発明の開示】
【発明が解決しようとする課題】
【０００６】
しかしながら、上記のような従来の照明装置では、複数の冷陰極蛍光管（放電管）が用いられたときに、複数の各冷陰極蛍光管及び複数の各インバータ回路の異常の有無を高精度に検出することができないという問題点を生じることがあった。
【０００７】
具体的にいえば、従来の照明装置では、冷陰極蛍光管毎に、上記第１及び第２電流電圧変換回路と第１異常検出回路を設けるとともに、第１異常検出回路が上記第１及び第２検出電圧の電位差に基づき回路異常の発生の有無を検出していた。このため、この従来の照明装置では、冷陰極蛍光管の両端部に設けられた２つのインバータ回路が同時に異常を発生して、これら２つのインバータ回路からの電力供給がともに異常に大きくなったり、異常に小さくなったりした場合でも、上述の電位差が正常な範囲内の値となって、当該２つのインバータ回路の異常を検出できないおそれがあった。
【０００８】
上記の課題を鑑み、本発明は、複数の放電管が用いられているときでも、複数の各放電管及び複数の各インバータ回路の異常の有無を高精度に検出することができる照明装置、及びこれを用いた表示装置を提供することを目的とする。
【課題を解決するための手段】
【０００９】
上記の目的を達成するために、本発明にかかる照明装置は、複数の放電管と、前記放電管を駆動するインバータ回路を備えた照明装置であって、
前記インバータ回路には、同相の供給電力を前記放電管に対して各々出力する複数の第１のインバータ回路と、
前記第１のインバータ回路とは、位相が異なる供給電力を前記放電管に対して出力する第２のインバータ回路とが含まれ、
前記複数の第１のインバータ回路から対応する放電管に供給された複数の供給電力が入力されて、当該放電管及び第１のインバータ回路の異常の有無を検出する第１の異常検出部と、
前記第１及び第２のインバータ回路から対応する放電管に供給された複数の供給電力が入力されて、当該放電管、第１及び第２のインバータ回路の異常の有無を検出する第２の異常検出部とを備えていることを特徴とするものである。
【００１０】
上記のように構成された照明装置では、同相の供給電力を放電管に対して各々出力する複数の第１のインバータ回路と、第１のインバータ回路とは、位相が異なる供給電力を放電管に対して出力する第２のインバータ回路とが上記インバータ回路に含まれている。また、複数の第１のインバータ回路から対応する放電管に供給された複数の供給電力が入力されて、当該放電管及び第１のインバータ回路の異常の有無を検出する第１の異常検出部が設けられている。さらに、第１及び第２のインバータ回路から対応する放電管に供給された複数の供給電力が入力されて、当該放電管、第１及び第２のインバータ回路の異常の有無を検出する第２の異常検出部が設置されている。これにより、上記従来例と異なり、複数の放電管が用いられているときでも、複数の各放電管及び複数の各インバータ回路の異常の有無を高精度に検出することができる。
【００１１】
また、上記照明装置において、前記第２のインバータ回路は、前記第１のインバータ回路とは、１８０°位相が異なる逆相の供給電力を出力するとともに、当該第２のインバータ回路が複数設けられ、
複数の前記第２のインバータ回路から対応する放電管に供給された複数の供給電力が入力されて、当該放電管及び第２のインバータ回路の異常の有無を検出する第３の異常検出部を備えていることが好ましい。
【００１２】
この場合、上記第２のインバータ回路が複数設けられている場合でも、第３の異常検出部によって複数の各第２のインバータ回路及びこれに接続された放電管の異常の有無を検出することができる。さらに、上記第２の異常検出部の構成を簡略化することができる。
【００１３】
また、上記照明装置において、前記複数の放電管は、所定の方向に沿って配置されるとともに、
前記複数の放電管では、各一端部側に対して、前記第１及び第２のインバータ回路が所定の順番で接続されてもよい。
【００１４】
この場合、上記所定の方向に沿って配置された複数の放電管において、１８０°位相が異なる供給電力が所定の順番で供給されることとなり、これら放電管を点灯させたときに発生するノイズを容易に相殺することができる。
【００１５】
また、上記照明装置において、前記複数の放電管は、所定の方向に沿って配置されるとともに、
前記複数の放電管では、各一端部側に対して、前記第１及び第２のインバータ回路が交互に接続されていることが好ましい。
【００１６】
この場合、上記所定の方向に沿って配置された複数の放電管において、１８０°位相が異なる供給電力が交互に供給されることとなり、これら放電管を点灯させたときに発生するノイズをより容易に相殺することができる。
【００１７】
また、上記照明装置において、前記第１〜第３の各異常検出部には、論理回路が用いられていることが好ましい。
【００１８】
この場合、コンデンサなどの電気部品を使用して、異常検出部を構成する場合に比べて、異常検出部の構成を簡略化することができ、照明装置の回路規模の小型化を容易に図ることができる。
【００１９】
また、本発明の表示装置は、上記いずれかの照明装置を用いたことを特徴とするものである。
【００２０】
上記のように構成された表示装置では、複数の放電管が用いられているときでも、複数の各放電管及び複数の各インバータ回路の異常の有無を高精度に検出することができる照明装置が用いられているので、優れた安全性を有する表示装置を容易に構成することができる。
【発明の効果】
【００２１】
本発明によれば、複数の放電管が用いられているときでも、複数の各放電管及び複数の各インバータ回路の異常の有無を高精度に検出することができる照明装置、及びこれを用いた表示装置を提供することが可能となる。
【発明を実施するための最良の形態】
【００２２】
以下、本発明の照明装置、及びこれを用いた表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００２３】
図１は、本発明の一実施形態にかかるテレビ受信装置及び液晶表示装置を説明する分解斜視図である。図において、本実施形態のテレビ受信装置１は、表示装置としての液晶表示装置２を備えており、アンテナやケーブル（図示せず）などによりテレビ放送を受信可能に構成されている。液晶表示装置２は、表キャビネット３及び裏キャビネット４に収納された状態で、スタンド５によって立設されるようになっている。また、テレビ受信装置１では、液晶表示装置２の表示面２ａが表キャビネット３を介在させて視認可能に構成されている。この表示面２ａは、スタンド５により、重力の作用方向（鉛直方向）に平行となるように設置されている。
【００２４】
また、テレビ受信装置１では、液晶表示装置２と裏キャビネット４との間に、支持板６に取り付けられるＴＶチューナー回路基板６ａ、後述の照明装置等のテレビ受信装置１の各部を制御する制御回路基板６ｂ、及び電源回路基板６ｃが配置されている。そして、テレビ受信装置１では、ＴＶチューナー回路基板６ａ上のＴＶチューナーで受信されたテレビ放送の映像信号に応じた画像が表示面２ａ上に表示されるとともに、表キャビネット３に設けられたスピーカ３ａから音声が再生出力される。なお、裏キャビネット４には、多数の通気孔が形成されており、照明装置や電源等で発生した熱を適切に放熱できるようになっている。
【００２５】
次に、図２を参照して、液晶表示装置２について具体的に説明する。
【００２６】
図２は、上記液晶表示装置の要部構成を説明する図である。図において、液晶表示装置２には、文字及び画像などの情報を表示する表示部としての液晶パネル７と、液晶パネル７の非表示面側（図の下側）に配置されて、当該液晶パネル７を照明する照明光を発生する本発明の照明装置８とが設けられており、これらの液晶パネル７と照明装置８とが透過型の液晶表示装置２として一体化されている。また、液晶表示装置２では、液晶パネル７の非表示面側及び表示面側に、透過軸が互いにクロスニコルに配置された一対の偏光板１２及び１３がそれぞれ設置されている。
【００２７】
照明装置８には、有底状のシャーシ８ａと、シャーシ８ａに収容された複数、例えば８本の冷陰極蛍光管（ＣＣＦＬ）９ａ、９ｂ、９ｃ、９ｄ、９ｅ、９ｇ、９ｈ（以下、“９”で総称する。）が互いに等ピッチで設けられている。シャーシ８ａの内面には、例えば反射シート８ｂが設置されており、光源としての冷陰極蛍光管９からの光を液晶パネル７側に反射させることにて当該冷陰極蛍光管９の光利用効率を向上させるようになっている。
【００２８】
また、各冷陰極蛍光管９には、直管状のものが用いられており、その両端部に設けられた電極部（図示せず）がシャーシ８ａの外側にて支持されている。また、各冷陰極蛍光管９には、直径３．０〜４．０ｍｍ程度の発光効率に優れた細管化されたものが使用されており、コンパクトで発光効率に優れた照明装置８を容易に構成することができるようになっている。また、各冷陰極蛍光管９は、図示しない光源保持具によって拡散板１０及び反射シート８ｂとの各間の距離を所定の距離に保たれた状態で、シャーシ８ａの内部に保持されている。
【００２９】
さらに、複数の冷陰極蛍光管９は、その長手方向が重力の作用方向と直交する方向に平行となるように配置されている。これにより、冷陰極蛍光管９では、その内部に封入された水銀（蒸気）が重力の作用により長手方向の一方の端部側に集まるのが防がれて、ランプ寿命が大幅に向上されている。
【００３０】
また、上記シャーシ８ａの外側には、液晶パネル７を駆動する液晶駆動部１４、照明装置８の制御部としての照明制御部１５、及びこの照明制御部１５からの制御信号を用いて、複数の各冷陰極蛍光管９をインバータ駆動にて高周波点灯させるインバータ回路１６が設置されている。これらの液晶駆動部１４、照明制御部１５、及びインバータ回路１６は、制御回路基板６ｂ（図１）上に設けられており、シャーシ８ａの外側と対向するように配置されている。尚、インバータ回路１６は、後に詳述するように、冷陰極蛍光管９毎に設けられている。
【００３１】
また、照明装置８では、シャーシ８ａの開口部を覆うように設置された拡散板１０と、拡散板１０の上方に設置された光学シート１１とが設けられている。拡散板１０は、例えば厚さ２ｍｍ程度の長方形状の合成樹脂またはガラス材を用いて構成されている。また、拡散板１０は、シャーシ８ａ上で移動可能に保持されており、冷陰極蛍光管９の発熱やシャーシ８ａの内部の温度上昇等の熱の影響により、当該拡散板１０に伸縮（塑性）変形が生じたときでも、シャーシ８ａ上で移動することで変形を吸収可能になっている。
【００３２】
光学シート１１には、例えば厚さ０．２ｍｍ程度の合成樹脂フィルムにて構成された拡散シートが含まれており、液晶パネル７への上記照明光を適度に拡散して当該液晶パネル７の表示面での表示品位を向上させるように構成されている。また、光学シート１１には、液晶パネル７の表示面での表示品位の向上を行うためなどのプリズムシート、偏光反射シートなどの公知の光学シート材が必要に応じて適宜積層されるようになっている。そして、光学シート１１は、拡散板１０から出射された面状光を、所定の輝度（例えば、１００００ｃｄ／ｍ2）以上で、かつ、ほぼ均一な輝度を有する面状光に変換して照明光として液晶パネル７側に入射させるように構成されている。
【００３３】
尚、上記の説明以外に、例えば液晶パネル７の上方（表示面側）に当該液晶パネル７の視野角を調整するための拡散シートなどの光学部材を適宜積層してもよい。
【００３４】
ここで、図３〜図５も参照して、本実施形態の照明装置８について具体的に説明する。
【００３５】
図３は、図２に示した照明装置の要部構成を説明する図である。図４は図３に示したインバータ回路の構成例を説明する図であり、図５は図３に示した異常検出部の具体的な構成を示すブロック図である。
【００３６】
図３に示すように、照明装置８には、複数の各冷陰極蛍光管９の駆動制御を行うための上記照明制御部１５と、冷陰極蛍光管９毎に設けられ、照明制御部１５からの制御信号（駆動信号）を基に対応する冷陰極蛍光管９を点灯駆動するＣＣＦＬ駆動回路としての上記インバータ回路１６ａ、１６ｂ、１６ｃ、１６ｄ、１６ｅ、１６ｆ、１６ｇ、１６ｈ（以下、“１６”で総称する。）が設置されている。これらの各インバータ回路１６は、各冷陰極蛍光管９の長手方向での一端部側に設置されており、対応する冷陰極蛍光管９に対して、上記一端部側から電流を供給するよう構成されている。
【００３７】
また、インバータ回路１６には、後に詳述するように、例えばハーフブリッジタイプのものが用いられており、インバータ回路１６は、上記駆動信号に基づいて、例えばＰＷＭ調光を用いて、対応する冷陰極蛍光管９を駆動可能に構成されている。
【００３８】
さらに、インバータ回路１６には、対応する冷陰極蛍光管９に対して、同相の供給電力を出力する第１のインバータ回路としてのインバータ回路１６ａ、１６ｃ、１６ｅ、１６ｇと、これら（第１の）インバータ回路１６ａ、１６ｃ、１６ｅ、１６ｇとは、１８０°位相が異なる逆相の供給電力を出力する第２のインバータ回路としてのインバータ回路１６ｂ、１６ｄ、１６ｆ、１６ｈとが含まれている。そして、本実施形態の照明装置８では、図３に示すように、所定の方向（長手方向に直交する直交方向）に沿って配置された複数の冷陰極蛍光管９に対して、第１のインバータ回路１６ａ、１６ｃ、１６ｅ、１６ｇと、第２のインバータ回路１６ｂ、１６ｄ、１６ｆ、１６ｈとが交互に接続されている。
【００３９】
さらに、照明装置８は、冷陰極蛍光管９毎に設けられて、対応する冷陰極蛍光管９を流れたランプ電流値を検出するランプ電流検出回路ＲＣ１、ＲＣ２、ＲＣ３、ＲＣ４、ＲＣ５、ＲＣ６、ＲＣ７、ＲＣ８を備えており、照明装置８では、各ランプ電流検出回路ＲＣ１〜ＲＣ８にて検出されたランプ電流値が各冷陰極蛍光管９及び各インバータ回路１６の異常の有無を検出する異常検出部１７を経て照明制御部１５に出力されるようになっている。
【００４０】
また、照明制御部１５には、外部からの指示信号として、例えば照明装置８の発光面の輝度を変更する調光指示信号が入力されるようになっており、液晶表示装置２では、ユーザが液晶パネル７の表示面での輝度（明るさ）を適宜変更可能に構成されている。すなわち、照明制御部１５には、例えば液晶表示装置２側に設けられたリモートコントローラ等の操作入力器（図示せず）から調光指示信号が入力されるように構成されている。そして、照明制御部１５は、入力された調光指示信号を用いて、ＰＷＭ調光でのデューティ比を決定するとともに、各冷陰極蛍光管９への供給電流の目標値を決定するようになっている。
【００４１】
その後、照明制御部１５は、決定した目標値を基に各インバータ回路１６への駆動信号を生成して出力することにより、対応する冷陰極蛍光管９に流れるランプ電流値が変化する。この結果、各冷陰極蛍光管９から出射される出射光の光量が、調光指示信号に応じて変化して、照明装置８の発光面での輝度及び液晶パネル７の表示面での輝度がユーザの操作指示に応じて適切に変更される。
【００４２】
また、各冷陰極蛍光管９に実際に供給されたランプ電流値は、対応するランプ電流検出回路ＲＣ１〜ＲＣ８及び異常検出部１７を介して、照明制御部１５に検出電流値としてフィードバックされる。そして、照明制御部１５では、検出電流値と、上記調光指示信号を基に決定された供給電流の目標値とを用いたフィードバック制御が実行されることにより、ユーザが所望する輝度での表示が維持される。
【００４３】
図４に例示するように、インバータ回路１６には、トランスＴと、照明制御部１５に接続されるとともに、トランスＴの一次巻線側で互いに直列に設けられた第１及び第２のスイッチング部材ＳＷ１、ＳＷ２と、第１のスイッチングＳＷ１に接続された駆動電源Ｖｄとを備えたハーフブリッジタイプのものが用いられている。
【００４４】
第１及び第２の各スイッチング部材ＳＷ１、ＳＷ２には、例えば電界効果トランジスタ（ＦＥＴ）が用いられており、照明制御部１５から上記駆動信号として位相が１８０°互いに異なる第１及び第２の駆動信号がそれぞれ入力されることによって、トランスＴの二次巻線側に接続された冷陰極蛍光管９への電力供給のオン／オフ制御を行うようになっている。
【００４５】
そして、インバータ回路１６は、対応する冷陰極蛍光管９を高周波点灯するようになっている。すなわち、トランスＴの二次巻線には、いずれかの冷陰極蛍光管９の高電圧側端子が接続されており、第１及び第２のスイッチング部材ＳＷ１、ＳＷ２が照明制御部１５からの第１及び第２の駆動信号を基にスイッチング動作を行うことにより、トランスＴは、対応する冷陰極蛍光管９に電力供給を行い、当該冷陰極蛍光管９を点灯動作させる。
【００４６】
また、インバータ回路１６では、上述したように、第１のインバータ回路１６ａ、１６ｃ、１６ｅ、１６ｇと第２のインバータ回路１６ｂ、１６ｄ、１６ｆ、１６ｈとは互いに位相が１８０°異なる供給電力を対応する冷陰極蛍光管９に対して出力するようになっている。すなわち、図４に示すように、第１のインバータ回路１６ａ、１６ｃ、１６ｅ、１６ｇが、対応する冷陰極蛍光管９に対して、振幅ＶAのランプ電流Ｐａを出力しているときに、第２のインバータ回路１６ｂ、１６ｄ、１６ｆ、１６ｈは、対応する冷陰極蛍光管９に対して、ランプ電流Ｐａとは逆位相の振幅ＶAのランプ電流Ｐｂを出力している。
【００４７】
また、図５に示すように、各ランプ電流検出回路ＲＣ１〜ＲＣ８には、並列に接続された抵抗Ｒ１、Ｒ２が含まれており、図の左端部が対応するインバータ回路１６に接続されて、冷陰極蛍光管９に供給された供給電力（ランプ電流）が入力されるようになっている。また、各ランプ電流検出回路ＲＣ１〜ＲＣ８では、抵抗Ｒ２の右端部が異常検出部１７に接続されており、検出したランプ電流（つまり、対応する冷陰極蛍光管９への供給電力）を異常検出部１７に出力するようになっている。
【００４８】
また、図５に示すように、異常検出部１７には、ランプ電流検出回路ＲＣ１、ＲＣ３、ＲＣ５、ＲＣ７に接続された第１のＸＯＲ回路１７ａと、ランプ電流検出回路ＲＣ２、ＲＣ４、ＲＣ６、ＲＣ８に接続された第２のＸＯＲ回路１７ｂが設けられている。また、異常検出部１７は、ランプ電流検出回路ＲＣ１及びＲＣ２に接続されたダイオードＤ１、ランプ電流検出回路ＲＣ３及びＲＣ４に接続されたダイオードＤ２、ランプ電流検出回路ＲＣ５及びＲＣ６に接続されたダイオードＤ３、及びランプ電流検出回路ＲＣ７及びＲＣ８に接続されたダイオードＤ４を備えている。
【００４９】
さらに、異常検出部１７には、第１及び第２のＸＯＲ回路１７ａ、１７ｂとダイオードＤ１〜Ｄ４に接続されたＯＲ回路１７ｃと、このＯＲ回路１７ｃに接続された検知回路１７ｄが設けられており、異常検出部１７は、ランプ電流検出回路ＲＣ１〜ＲＣ８からの冷陰極蛍光管９ａ〜９ｈに供給された供給電力（ランプ電流）を用いて、当該冷陰極蛍光管９ａ〜９ｈとインバータ回路１６ａ〜１６ｈの各異常の有無を検出するように構成されている。尚、図５では、図面の簡略化のために、異常検出部１７の内部に設けられるとともに、照明制御部１５がフィードバック制御を行うために、各ランプ電流検出回路ＲＣ１〜ＲＣ８から照明制御部１５へのランプ電流を流す配線の図示は省略している。
【００５０】
第１のＸＯＲ回路１７ａは、第１の異常検出部を構成するものであり、第１のＸＯＲ回路１７ａには、複数の第１のインバータ回路１６ａ、１６ｃ、１６ｅ、１６ｇから対応する冷陰極蛍光管９ａ、９ｃ、９ｅ、９ｇに供給された複数の供給電力が、対応するランプ電流検出回路ＲＣ１、ＲＣ３、ＲＣ５、ＲＣ７から入力される。そして、第１のＸＯＲ回路１７ａは、入力された供給電力に基づいて、冷陰極蛍光管９ａ、９ｃ、９ｅ、９ｇ及び第１のインバータ回路１６ａ、１６ｃ、１６ｅ、１６ｇの異常の有無を検出する。
【００５１】
具体的にいえば、第１のインバータ回路１６ａ、１６ｃ、１６ｅ、１６ｇは、図４にランプ電流Ｐａで示した同相の供給電力を対応する冷陰極蛍光管９ａ、９ｃ、９ｅ、９ｇに出力しているので、第１のＸＯＲ回路１７ａは、第１のインバータ回路１６ａ、１６ｃ、１６ｅ、１６ｇからの供給電力が互いに所定の範囲内に存在しているか否かについて判別することによって、冷陰極蛍光管９ａ、９ｃ、９ｅ、９ｇ及び第１のインバータ回路１６ａ、１６ｃ、１６ｅ、１６ｇの異常の有無を検出する。そして、第１のＸＯＲ回路１７ａは、第１のインバータ回路１６ａ、１６ｃ、１６ｅ、１６ｇからの供給電力が互いに所定の範囲内に存在していれば、冷陰極蛍光管９ａ、９ｃ、９ｅ、９ｇ及び第１のインバータ回路１６ａ、１６ｃ、１６ｅ、１６ｇの異常が生じていないとして、例えばローレベルの信号をＯＲ回路１７ｃに出力する。
【００５２】
一方、第１のＸＯＲ回路１７ａは、第１のインバータ回路１６ａ、１６ｃ、１６ｅ、１６ｇからのいずれかの供給電力が所定の範囲外に存在していることを判別すると、冷陰極蛍光管９ａ、９ｃ、９ｅ、９ｇ及び第１のインバータ回路１６ａ、１６ｃ、１６ｅ、１６ｇの異常が発生しているとして、例えばハイレベルの信号をＯＲ回路１７ｃに出力する。また、この第１のＸＯＲ回路１７ａによる異常検出では、第１のインバータ回路１６ａ、１６ｃ、１６ｅ、１６ｇの出力不良などの異常及び／または冷陰極蛍光管９ａ、９ｃ、９ｅ、９ｇの不良などの異常が検出される。尚、冷陰極蛍光管９ａ、９ｃ、９ｅ、９ｇの不良には、コネクタへの接続不良が含まれており、第１のＸＯＲ回路１７ａは、冷陰極蛍光管９ａ、９ｃ、９ｅ、９ｇでのいわゆるオープン検知を行うことができる。
【００５３】
第２のＸＯＲ回路１７ｂは、第３の異常検出部を構成するものであり、第２のＸＯＲ回路１７ｂには、複数の第１のインバータ回路１６ｂ、１６ｄ、１６ｆ、１６ｈから対応する冷陰極蛍光管９ｂ、９ｄ、９ｆ、９ｈに供給された複数の供給電力が、対応するランプ電流検出回路ＲＣ２、ＲＣ４、ＲＣ６、ＲＣ８から入力される。そして、第２のＸＯＲ回路１７ｂは、入力された供給電力に基づいて、冷陰極蛍光管９ｂ、９ｄ、９ｆ、９ｈ及び第２のインバータ回路１６ｂ、１６ｄ、１６ｆ、１６ｈの異常の有無を検出する。
【００５４】
具体的にいえば、第２のインバータ回路１６ｂ、１６ｄ、１６ｆ、１６ｈは、図４にランプ電流Ｐｂで示した同相の供給電力を対応する冷陰極蛍光管９ｂ、９ｄ、９ｆ、９ｈに出力しているので、第２のＸＯＲ回路１７ｂは、第２のインバータ回路１６ｂ、１６ｄ、１６ｆ、１６ｈからの供給電力が互いに所定の範囲内に存在しているか否かについて判別することによって、冷陰極蛍光管９ｂ、９ｄ、９ｆ、９ｈ及び第２のインバータ回路１６ｂ、１６ｄ、１６ｆ、１６ｈの異常の有無を検出する。そして、第２のＸＯＲ回路１７ｂは、第２のインバータ回路１６ｂ、１６ｄ、１６ｆ、１６ｈからの供給電力が互いに所定の範囲内に存在していれば、冷陰極蛍光管９ｂ、９ｄ、９ｆ、９ｈ及び第２のインバータ回路１６ｂ、１６ｄ、１６ｆ、１６ｈの異常が生じていないとして、例えばローレベルの信号をＯＲ回路１７ｃに出力する。
【００５５】
一方、第２のＸＯＲ回路１７ｂは、第２のインバータ回路１６ｂ、１６ｄ、１６ｆ、１６ｈからのいずれかの供給電力が所定の範囲外に存在していることを判別すると、冷陰極蛍光管９ｂ、９ｄ、９ｆ、９ｈ及び第２のインバータ回路１６ｂ、１６ｄ、１６ｆ、１６ｈの異常が発生しているとして、例えばハイレベルの信号をＯＲ回路１７ｃに出力する。また、この第２のＸＯＲ回路１７ｂによる異常検出では、第２のインバータ回路１６ｂ、１６ｄ、１６ｆ、１６ｈの出力不良などの異常及び／または冷陰極蛍光管９ｂ、９ｄ、９ｆ、９ｈの不良などの異常が検出される。尚、冷陰極蛍光管９ｂ、９ｄ、９ｆ、９ｈの不良には、コネクタへの接続不良が含まれており、第２のＸＯＲ回路１７ｂは、冷陰極蛍光管９ｂ、９ｄ、９ｆ、９ｈでのいわゆるオープン検知を行うことができる。
【００５６】
各ダイオードＤ１〜Ｄ４には、隣接する２本の冷陰極蛍光管９に対して、供給された供給電力が対応するランプ電流検出回路ＲＣ１〜ＲＣ８から入力されるようになっている。すなわち、各ダイオードＤ１〜Ｄ４には、互いに１８０°位相が異なる供給電力が入力されるようになっており、各ダイオードＤ１〜Ｄ４は、ＯＲ回路１７ｃに対して、入力された２つの供給電力の差に応じた出力信号を出力するよう構成されている。
【００５７】
ＯＲ回路１７ｃは、第２の異常検出部を構成するものであり、ＯＲ回路１７ｃには、ダイオードＤ１〜Ｄ４を介して第１及び第２のインバータ回路１６ａ〜１６ｈから対応する冷陰極蛍光管９ａ〜９ｈに供給された複数の供給電力が上記出力信号として入力される。また、このＯＲ回路１７ｃには、第１及び第２のＸＯＲ回路１７ａ、１７ｂから上記信号が入力されている。そして、ＯＲ回路１７ｃは、第１及び第２の各ＸＯＲ回路１７ａ、１７ｂからの信号と、ダイオードＤ１〜Ｄ４からの各出力信号に基づいて、冷陰極蛍光管９ａ〜９ｈ、第１及び第２のインバータ回路１６ａ〜１６ｈの異常の有無を検出する。
【００５８】
具体的にいえば、ＯＲ回路１７ｃは、第１のＸＯＲ回路１７ａからの信号がハイレベルであることを判別すると、冷陰極蛍光管９ａ、９ｃ、９ｅ、９ｇ及び第１のインバータ回路１６ａ、１６ｃ、１６ｅ、１６ｇに異常が発生しているとして、例えばハイレベルの信号を検知回路１７ｄに出力する。また、ＯＲ回路１７ｃは、第１のＸＯＲ回路１７ａからの信号がハイレベルであることを判別すると、冷陰極蛍光管９ｂ、９ｄ、９ｆ、９ｈ及び第２のインバータ回路１６ｂ、１６ｄ、１６ｆ、１６ｈに異常が発生しているとして、例えばハイレベルの信号を検知回路１７ｄに出力する。
【００５９】
さらに、ＯＲ回路１７ｃは、ダイオードＤ１〜Ｄ４からの各出力信号が所定の値を超えているか否かについて判別することにより、対応する冷陰極蛍光管９及びインバータ回路１６に異常が生じているかどうかについて判定する。つまり、ＯＲ回路１７ｃは、例えばダイオードＤ１からの出力信号が所定の値を超えていることを判別すると、隣接する冷陰極蛍光管９ａ、９ｂ及び／またはインバータ回路１６ａ、１６ｂに異常が生じていると判定する。そして、ＯＲ回路１７ｃは、異常が生じていると判定したときには、例えばハイレベルの信号を検知回路１７ｄに出力する。
【００６０】
また、ＯＲ回路１７ｃは、第１及び第２の各ＸＯＲ回路１７ａ、１７ｂからの信号がローレベルであることを判別し、かつ、全てのダイオードＤ１〜Ｄ４からの各出力信号が所定の値を超えていないことを判別したときには、冷陰極蛍光管９ａ〜９ｈ、第１及び第２のインバータ回路１６ａ〜１６ｈの異常が生じていないと判定して、例えばローレベルの信号を検知回路１７ｄに出力する。
【００６１】
検知回路１７ｄは、ＯＲ回路１７ｃからの信号に基づいて、冷陰極蛍光管９ａ〜９ｈ、第１及び第２のインバータ回路１６ａ〜１６ｈの異常の有無を検知して、その検知結果を照明制御部１５に出力する。すなわち、検知回路１７ｄは、ＯＲ回路１７ｃからローレベルの信号が入力されたときに、冷陰極蛍光管９ａ〜９ｈ、第１及び第２のインバータ回路１６ａ〜１６ｈに異常が生じていないとして、その検知結果を照明制御部１５に通知する。また、検知回路１７ｄは、ＯＲ回路１７ｃからハイレベルの信号が入力されたときに、冷陰極蛍光管９ａ〜９ｈ、第１及び第２のインバータ回路１６ａ〜１６ｈに異常が生じていることを検知して、その検知結果を照明制御部１５に通知する。これにより、本実施形態の照明装置８では、照明制御部１５は冷陰極蛍光管９ａ〜９ｈ、第１及び第２のインバータ回路１６ａ〜１６ｈに異常が生じたことを判定できるようになっている。
【００６２】
尚、上記の説明以外に、例えばＯＲ回路１７ｃの内部にダイオードＤ１〜Ｄ４を設けて、当該ＯＲ回路１７ｃに対して、第１及び第２のインバータ回路１６ａ〜１６ｈから対応する冷陰極蛍光管９ａ〜９ｈに供給された複数の供給電力が直接的に入力されるよう構成してもよい。また、第１及び第２のＸＯＲ回路１７ａ、１７ｂが異常発生を判別した冷陰極蛍光管９及びインバータ回路１６を特定して、ＯＲ回路１７ｃを介して検知回路１７ｄに通知し、照明制御部１５において、異常を生じた冷陰極蛍光管９及びインバータ回路１６を判定できる構成としてもよい。
【００６３】
以上のように構成された本実施形態の照明装置８では、冷陰極蛍光管（放電管）９を駆動するインバータ回路１６において、同相の供給電力を冷陰極蛍光管９ａ、９ｃ、９ｅ、９ｇに対してそれぞれ出力する複数の第１のインバータ回路１６ａ、１６ｃ、１６ｅ、１６ｇと、第１のインバータ回路１６ａ、１６ｃ、１６ｅ、１６ｇとは、位相が異なる供給電力を冷陰極蛍光管９ｂ、９ｄ、９ｆ、９ｈに対してそれぞれ出力する第２のインバータ回路１６ｂ、１６ｄ、１６ｆ、１６ｈとが含まれている。
【００６４】
また、本実施形態の照明装置８では、異常検出部１７において、複数の第１のインバータ回路１６ａ、１６ｃ、１６ｅ、１６ｇから対応する冷陰極蛍光管９ａ、９ｃ、９ｅ、９ｇに供給された複数の供給電力が入力されて、当該冷陰極蛍光管９ａ、９ｃ、９ｅ、９ｇ及び第１のインバータ回路１６ａ、１６ｃ、１６ｅ、１６ｇの異常の有無を検出する第１のＸＯＲ回路（第１の異常検出部）１７ａが設けられている。また、異常検出部１７には、第１及び第２のインバータ回路１６ａ〜１６ｈから対応する冷陰極蛍光管９ａ〜９ｈに供給された複数の供給電力が入力されて、当該冷陰極蛍光管９ａ〜９ｈ、第１及び第２のインバータ回路１６ａ〜１６ｈの異常の有無を検出するＯＲ回路（第２の異常検出部）１７ｃが設置されている。これにより、本実施形態の照明装置８では、上記従来例と異なり、複数の冷陰極蛍光管９が用いられているときでも、複数の各冷陰極蛍光管９及び複数の各インバータ回路１６の異常の有無を高精度に検出することができる。
【００６５】
また、本実施形態の照明装置８では、複数の第２のインバータ回路１６ｂ、１６ｄ、１６ｆ、１６ｈから対応する冷陰極蛍光管９ｂ、９ｄ、９ｆ、９ｈに供給された複数の供給電力が入力されて、当該冷陰極蛍光管９ｂ、９ｄ、９ｆ、９ｈ及び第２のインバータ回路１６ｂ、１６ｄ、１６ｆ、１６ｈの異常の有無を検出する第２のＸＯＲ回路（第３の異常検出部）１７ｂを備えている。これにより、本実施形態の照明装置８では、上記第２のインバータ回路１６ｂ、１６ｄ、１６ｆ、１６ｈが複数設けられている場合でも、第２のＸＯＲ回路１７ｂによって複数の各第２のインバータ回路１６ｂ、１６ｄ、１６ｆ、１６ｈ及びこれに接続された冷陰極蛍光管９ｂ、９ｄ、９ｆ、９ｈの異常の有無を検出することができる。
【００６６】
また、本実施形態の液晶表示装置２では、複数の冷陰極蛍光管９が用いられているときでも、複数の各冷陰極蛍光管９及び複数の各インバータ回路１６の異常の有無を高精度に検出することができる照明装置８が用いられているので、優れた安全性を有する液晶表示装置２を容易に構成することができる。
【００６７】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００６８】
例えば、上記の説明では、本発明を透過型の液晶表示装置に適用した場合について説明したが、本発明の照明装置はこれに限定されるものではなく、光源の光を利用して、画像、文字などの情報を表示する非発光型の表示部を備えた各種表示装置に適用することができる。具体的には、半透過型の液晶表示装置、あるいは液晶パネルをライトバルブに用いた投写型表示装置に本発明の照明装置を好適に用いることができる。
【００６９】
また、上記の説明以外に、本発明は、レントゲン写真に光を照射するシャウカステンあるいは写真ネガ等に光を照射して視認をし易くするためのライトボックスや、看板や駅構内の壁面などに設置される広告等をライトアップする発光装置の照明装置として好適に用いることができる。
【００７０】
また、上記の説明では、冷陰極蛍光管を用いた場合について説明したが、本発明の放電管はこれに限定されるものではなく、熱陰極蛍光管やキセノン蛍光管などの他の放電蛍光管、あるいはＵ字管や擬似Ｕ字管などの非直管状の放電蛍光管を使用することもできる。
【００７１】
また、上記の説明では、互いに１８０°位相が異なる供給電力を出力する第１及び第２のインバータ回路を各々４個設けるとともに、上記第１及び第２のＸＯＲ回路（第１及び第３の異常検出部）とＯＲ回路（第２の異常検出部）を設けた構成について説明した。しかしながら、本発明は複数の放電管と、放電管を駆動するインバータ回路を備えた照明装置において、インバータ回路には、同相の供給電力を放電管に対して各々出力する複数の第１のインバータ回路と、第１のインバータ回路とは、位相が異なる供給電力を放電管に対して出力する第２のインバータ回路とが含まれている。さらに、複数の第１のインバータ回路から対応する放電管に供給された複数の供給電力が入力されて、当該放電管及び第１のインバータ回路の異常の有無を検出する第１の異常検出部と、第１及び第２のインバータ回路から対応する放電管に供給された複数の供給電力が入力されて、当該放電管、第１及び第２のインバータ回路の異常の有無を検出する第２の異常検出部とを備えているものであれば何等限定されない。すなわち、本発明では、第２のインバータ回路が１個しか設けられていなければ、第３の異常検出部の設置を省略することができる。
【００７２】
また、上記の説明では、８本の冷陰極蛍光管の一端部側に、上記第１及び第２のインバータ回路を交互に接続し、各冷陰極蛍光管を片側駆動する場合について説明したが、本発明はこれに限定されるものではなく、放電管の設置数、放電管と第１及び第２のインバータ回路の接続方法などは上記のものに何等限定されない。具体的には、例えば放電管の一端部側及び他端部側に第１及び第２のインバータ回路をそれぞれ接続して、当該放電管を両側駆動する構成でもよい。
【００７３】
また、上記の説明では、第１のインバータ回路とは、１８０°位相が異なる逆相の供給電力を放電管に対して出力する第２のインバータ回路を複数設けた場合について説明したが、本発明の第２のインバータ回路はこれに限定されるものではなく、第１のインバータ回路とは、例えば９０°、１８０°、及び２７０°位相が異なる供給電力を異なる放電管に各々出力する複数種類のインバータ回路を第２のインバータ回路として設ける構成でもよい。
【００７４】
但し、上記実施形態のように、互いに１８０°位相が異なる供給電力を出力する第１及び第２のインバータ回路を用いる場合の方が、上記第３の異常検出部によって複数の各第２のインバータ回路及びこれに接続された放電管の異常の有無を検出することができる点で好ましい。また、上記のような複数種類のインバータ回路を設ける場合に比べ、上記第２の異常検出部の構成を簡略化することができる点でも好ましい。
【００７５】
また、上記の説明以外に、所定の方向に沿って複数の冷陰極蛍光管（放電管）を配置するとともに、複数の放電管において、その各一端部側に対して第１及び第２のインバータ回路を所定の順番で接続してもよい。具体的には、例えば第１及び第２のインバータ回路を、各々２本の放電管おきに接続する構成でもよい。このように構成した場合には、上記所定の方向に沿って配置された複数の放電管において、１８０°位相が異なる供給電力が所定の順番で供給されることとなり、これら放電管を点灯させたときに発生するノイズを容易に相殺することができる点で好ましい。
【００７６】
さらに、上記実施形態のように、所定の方向に沿って複数の冷陰極蛍光管（放電管）を配置するとともに、複数の放電管において、その各一端部側に対して第１及び第２のインバータ回路を交互に接続した場合には、これらの放電管を点灯させたときに発生するノイズをより容易に相殺することができる点で好ましい。
【００７７】
また、上記の説明では、第１及び第２の各インバータ回路にハーフブリッジタイプのインバータ回路を用いた場合について説明したが、本発明の第１及び第２の各インバータ回路はこれに限定されるものではなく、例えば４個のスイッチング部材を有する、フルブリッジタイプのインバータ回路に適用することが可能である。
【００７８】
また、上記の説明では、第１及び第３の異常検出部にＸＯＲ回路を用い、第２の異常検出部にＯＲ回路を用いた場合について説明したが、本発明の第１〜第３の各異常検出部は放電管とインバータ回路との各異常を検出できるものであれば何等これに限定されない。
【００７９】
但し、上記実施形態のように、第１〜第３の異常検出部に、ＸＯＲ回路やＯＲ回路などの論理回路を用いる場合の方が、コンデンサなどの電気部品を使用して、異常検出部を構成する場合に比べて、異常検出部の構成を簡略化することができ、照明装置の回路規模の小型化を容易に図ることができる点で好ましい。
【産業上の利用可能性】
【００８０】
本発明は、複数の放電管が用いられているときでも、複数の各放電管及び複数の各インバータ回路の異常の有無を高精度に検出することができる照明装置、及びこれを用いた表示装置に対して有用である。
【図面の簡単な説明】
【００８１】
【図１】本発明の一実施形態にかかるテレビ受信装置及び液晶表示装置を説明する分解斜視図である。
【図２】上記液晶表示装置の要部構成を説明する図である。
【図３】図２に示した照明装置の要部構成を説明する図である。
【図４】図３に示したインバータ回路の構成例を説明する図である。
【図５】図３に示した異常検出部の具体的な構成を示すブロック図である。
【符号の説明】
【００８２】
１  液晶表示装置（表示装置）
８  照明装置
９、９ａ〜９ｈ  冷陰極蛍光管（放電管）
１６  インバータ回路
１６ａ、１６ｃ、１６ｅ、１６ｇ  （第１の）インバータ回路
１６ｂ、１６ｄ、１６ｆ、１６ｈ  （第２の）インバータ回路
１７  異常検出部（第１〜第３の異常検出部）
１７ａ  第１のＸＯＲ回路（第１の異常検出部）
１７ｂ  第２のＸＯＲ回路（第３の異常検出部）
１７ｃ  ＯＲ回路（第２の異常検出部）
【図１】
2010146848.tif 000003
【図２】
2010146848.tif 000004
【図３】
2010146848.tif 000005
【図４】
2010146848.tif 000006
【図５】
2010146848.tif 000007